【手続補正書】
【提出日】平成20年4月30日(2008.4.30)
【手続補正１】
【補正対象書類名】明細書
【補正対象項目名】発明の名称
【補正方法】変更
【補正の内容】
【発明の名称】放射線画像処理装置、放射線画像処理方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】  被写体からの散乱放射線を除去するためのグリッドを使用した放射線撮影により得られた放射線画像を処理する放射線画像処理装置であって、
所定の上記放射線画像から前記グリッドに起因する画像成分を作成する作成手段と、
上記作成手段により得られた上記画像成分に基づき、上記所定の上記放射線画像より後に得られた複数の上記放射線画像に対して、上記画像成分の除去処理を施す除去手段とを備えることを特徴とする放射線画像処理装置。
【請求項２】  被写体からの散乱放射線を除去するためのグリッドを使用した放射線撮影により得られた放射線画像を処理するための放射線画像処理方法であって、
放射線画像から前記グリッドに起因する画像成分を作成する作成ステップと、
上記作成ステップにより得られた画像成分に基づき、上記放射線画像より後に得られた複数の放射線画像に対して、上記画像成分の除去処理を施す除去ステップとを含むことを特徴とする放射線画像処理方法。
【請求項３】  上記除去ステップは、上記複数の放射線画像に対して、上記作成ステップにより得られた同一の画像成分を用いて除去処理を施すステップを含むことを特徴とする請求項２記載の放射線画像処理方法。
【請求項４】  上記作成ステップは、上記放射線画像に重畳された画像成分は画像全体にわたって定常であるという特徴に基づいて上記画像成分を作成するステップを含むことを特徴とする請求項２記載の放射線画像処理方法。
【請求項５】  上記作成ステップは、上記放射線画像を解析して上記画像成分の空間周波数を得る解析ステップを含むことを特徴とする請求項２記載の放射線画像処理方法。
【請求項６】  上記作成ステップは、
上記解析ステップの解析結果に基づいて上記放射線画像から画像成分を含む所定の成分を抽出する抽出ステップと、
上記抽出ステップにより得られた所定の成分を加工して上記画像成分を得る加工ステップと、
上記加工ステップにより得られた上記画像成分を上記放射線画像から除去する除去ステップとを含むことを特徴とする請求項５記載の放射線画像処理方法。
【請求項７】  上記抽出ステップは、上記解析ステップにより得た上記空間周波数を有する成分を上記放射線画像から抽出するフィルタリングを行うステップを含むことを特徴とする請求項６記載の放射線画像処理方法。
【請求項８】  上記加工ステップは、上記所定の成分の非定常な部分を、その前後の定常な部分から推定して加工する処理を実行するステップを含むことを特徴とする請求項６記載の放射線画像処理方法。
【請求項９】  上記加工ステップは、上記所定の成分の包絡線情報に基づいて、上記非定常な部分を検出するステップを含むことを特徴とする請求項８記載の放射線画像処理方法。
【請求項１０】  上記加工ステップは、上記所定の成分の非定常な部分の前後の定常な部分及び空間周波数に基づいて、上記画像成分に対応する正弦波の振幅及び位相を推定し、上記非定常な部分の補修を行うステップを含むことを特徴とする請求項８記載の放射線画像処理方法。
【請求項１１】  上記加工ステップは、上記補修された非定常な部分を含む所定の成分に対して、さらなるフィルタリングを行って前記画像成分を得るステップを含むことを特徴とする請求項１０記載の放射線画像処理方法。
【請求項１２】  上記加工ステップは、上記非定常な部分のうち所定の条件を満たす部分を予め定められた値に置換して上記画像成分を得ることを特徴とする請求項８記載の放射線画像処理方法。
【請求項１３】  上記作成ステップは、上記放射線画像から選択した所定のラインについて、上記画像成分を作成するステップを含むことを特徴とする請求項２記載の放射線画像処理方法。
【請求項１４】  上記作成ステップは、複数のラインの平均の結果に対して、上記画像成分を作成するステップを含むことを特徴とする請求項１３記載の放射線画像処理方法。
【請求項１５】  上記作成ステップは、画像成分が作成されなかったラインの画像成分として、当該ラインの近隣の上記画像成分が作成されたラインから取得した上記画像成分を用いるステップを含むことを特徴とする請求項１３記載の放射線画像処理方法。
【請求項１６】  上記グリッドの装着を検出する検出ステップを含み、
上記作成ステップは、上記検出ステップの検出結果に基づいて、上記の処理を実行するステップを含むことを特徴とする請求項２記載の放射線画像処理方法。
【請求項１７】  請求項２〜１６の何れか１項に記載の放射線画像処理方法の処理ステップをコンピュータに実行させるためのプログラムを記憶したコンピュータが読み取り可能な記憶媒体。
【請求項１８】  請求項２〜１６の何れか１項に記載の放射線画像処理方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、例えば、散乱放射線を除去するためのグリッドを使用した放射線撮影により被写体の放射線画像を取得する装置或いはシステムに用いられる、放射線画像処理装置、放射線画像処理方法、記憶媒体及びプログラムに関するものである。
【手続補正４】
【補正対象書類名】明細書
【補正対象項目名】００５１
【補正方法】変更
【補正の内容】
【００５１】
そこで、本発明は、上記の欠点を除去するために成されたもので、グリッドを使用した放射線撮影による放射線画像から、グリッドに起因する画像成分が除去された良好な放射線動画を得ることのできる、放射線画像処理装置、放射線画像処理方法、記憶媒体及びプログラムを提供することを目的とする。
【手続補正５】
【補正対象書類名】明細書
【補正対象項目名】００５３
【補正方法】削除
【補正の内容】
【手続補正６】
【補正対象書類名】明細書
【補正対象項目名】００５４
【補正方法】削除
【補正の内容】
【手続補正７】
【補正対象書類名】明細書
【補正対象項目名】００５５
【補正方法】削除
【補正の内容】
【手続補正８】
【補正対象書類名】明細書
【補正対象項目名】００５６
【補正方法】削除
【補正の内容】
【手続補正９】
【補正対象書類名】明細書
【補正対象項目名】００５７
【補正方法】削除
【補正の内容】
【手続補正１０】
【補正対象書類名】明細書
【補正対象項目名】００５８
【補正方法】削除
【補正の内容】
【手続補正１１】
【補正対象書類名】明細書
【補正対象項目名】００５９
【補正方法】削除
【補正の内容】
【手続補正１２】
【補正対象書類名】明細書
【補正対象項目名】００６０
【補正方法】削除
【補正の内容】
【手続補正１３】
【補正対象書類名】明細書
【補正対象項目名】００６１
【補正方法】削除
【補正の内容】
【手続補正１４】
【補正対象書類名】明細書
【補正対象項目名】００６２
【補正方法】削除
【補正の内容】
【手続補正１５】
【補正対象書類名】明細書
【補正対象項目名】００６３
【補正方法】削除
【補正の内容】
【手続補正１６】
【補正対象書類名】明細書
【補正対象項目名】００６４
【補正方法】削除
【補正の内容】
【手続補正１７】
【補正対象書類名】明細書
【補正対象項目名】００６５
【補正方法】削除
【補正の内容】
【手続補正１８】
【補正対象書類名】明細書
【補正対象項目名】００６６
【補正方法】削除
【補正の内容】
【手続補正１９】
【補正対象書類名】明細書
【補正対象項目名】００６７
【補正方法】削除
【補正の内容】
【手続補正２０】
【補正対象書類名】明細書
【補正対象項目名】００６８
【補正方法】削除
【補正の内容】
【手続補正２１】
【補正対象書類名】明細書
【補正対象項目名】００６９
【補正方法】削除
【補正の内容】
【手続補正２２】
【補正対象書類名】明細書
【補正対象項目名】００７０
【補正方法】削除
【補正の内容】
【手続補正２３】
【補正対象書類名】明細書
【補正対象項目名】００７１
【補正方法】削除
【補正の内容】
【手続補正２４】
【補正対象書類名】明細書
【補正対象項目名】００７２
【補正方法】変更
【補正の内容】
【００７２】
第２の発明は、被写体からの散乱放射線を除去するためのグリッドを使用した放射線撮影により得られた放射線画像を処理するための放射線画像処理方法であって、放射線画像から前記グリッドに起因する画像成分を作成する作成ステップと、上記作成ステップにより得られた画像成分に基づき、上記放射線画像より後に得られた複数の放射線画像に対して、上記画像成分の除去処理を施す除去ステップとを含むことを特徴とする。
【手続補正２５】
【補正対象書類名】明細書
【補正対象項目名】００７３
【補正方法】変更
【補正の内容】
【００７３】
第３の発明は、上記第２の発明において、上記除去ステップは、上記複数の放射線画像に対して、上記作成ステップにより得られた同一の画像成分を用いて除去処理を施すステップを含むことを特徴とする。
【手続補正２６】
【補正対象書類名】明細書
【補正対象項目名】００７４
【補正方法】変更
【補正の内容】
【００７４】
第４の発明は、上記第２の発明において、上記作成ステップは、上記放射線画像に重畳された画像成分は画像全体にわたって定常であるという特徴に基づいて上記画像成分を作成するステップを含むことを特徴とする。
【手続補正２７】
【補正対象書類名】明細書
【補正対象項目名】００７５
【補正方法】変更
【補正の内容】
【００７５】
第５の発明は、上記第２の発明において、上記作成ステップは、上記放射線画像を解析して上記画像成分の空間周波数を得る解析ステップを含むことを特徴とする。
【手続補正２８】
【補正対象書類名】明細書
【補正対象項目名】００７６
【補正方法】変更
【補正の内容】
【００７６】
第６の発明は、上記第５の発明において、上記作成ステップは、上記解析ステップの解析結果に基づいて上記放射線画像から画像成分を含む所定の成分を抽出する抽出ステップと、上記抽出ステップにより得られた所定の成分を加工して上記画像成分を得る加工ステップと、上記加工ステップにより得られた上記画像成分を上記放射線画像から除去する除去ステップとを含むことを特徴とする。
【手続補正２９】
【補正対象書類名】明細書
【補正対象項目名】００７７
【補正方法】変更
【補正の内容】
【００７７】
第７の発明は、上記第６の発明において、上記抽出ステップは、上記解析ステップにより得た上記空間周波数を有する成分を上記放射線画像から抽出するフィルタリングを行うステップを含むことを特徴とする。
【手続補正３０】
【補正対象書類名】明細書
【補正対象項目名】００７８
【補正方法】変更
【補正の内容】
【００７８】
第８の発明は、上記第６の発明において、上記加工ステップは、上記所定の成分の非定常な部分を、その前後の定常な部分から推定して加工する処理を実行するステップを含むことを特徴とする。
【手続補正３１】
【補正対象書類名】明細書
【補正対象項目名】００７９
【補正方法】変更
【補正の内容】
【００７９】
第９の発明は、上記第８の発明において、上記加工ステップは、上記所定の成分の包絡線情報に基づいて、上記非定常な部分を検出するステップを含むことを特徴とする。
【手続補正３２】
【補正対象書類名】明細書
【補正対象項目名】００８０
【補正方法】変更
【補正の内容】
【００８０】
第１０の発明は、上記第８の発明において、上記加工ステップは、上記所定の成分の非定常な部分の前後の定常な部分及び空間周波数に基づいて、上記画像成分に対応する正弦波の振幅及び位相を推定し、上記非定常な部分の補修を行うステップを含むことを特徴とする。
【手続補正３３】
【補正対象書類名】明細書
【補正対象項目名】００８１
【補正方法】変更
【補正の内容】
【００８１】
第１１の発明は、上記第１０の発明において、上記加工ステップは、上記補修された非定常な部分を含む所定の成分に対して、さらなるフィルタリングを行って前記画像成分を得るステップを含むことを特徴とする。
【手続補正３４】
【補正対象書類名】明細書
【補正対象項目名】００８２
【補正方法】変更
【補正の内容】
【００８２】
第１２の発明は、上記第８の発明において、上記加工ステップは、上記非定常な部分のうち所定の条件を満たす部分を予め定められた値に置換して上記画像成分を得ることを特徴とする。
【手続補正３５】
【補正対象書類名】明細書
【補正対象項目名】００８３
【補正方法】変更
【補正の内容】
【００８３】
第１３の発明は、上記第２の発明において、上記作成ステップは、上記放射線画像から選択した所定のラインについて、上記画像成分を作成するステップを含むことを特徴とする。
【手続補正３６】
【補正対象書類名】明細書
【補正対象項目名】００８４
【補正方法】変更
【補正の内容】
【００８４】
第１４の発明は、上記第１３の発明において、上記作成ステップは、複数のラインの平均の結果に対して、上記画像成分を作成するステップを含むことを特徴とする。
【手続補正３７】
【補正対象書類名】明細書
【補正対象項目名】００８５
【補正方法】変更
【補正の内容】
【００８５】
第１５の発明は、上記第１３の発明において、上記作成ステップは、画像成分が作成されなかったラインの画像成分として、当該ラインの近隣の上記画像成分が作成されたラインから取得した上記画像成分を用いるステップを含むことを特徴とする。
【手続補正３８】
【補正対象書類名】明細書
【補正対象項目名】００８６
【補正方法】削除
【補正の内容】
【手続補正３９】
【補正対象書類名】明細書
【補正対象項目名】００８７
【補正方法】変更
【補正の内容】
【００８７】
第１６の発明は、上記第２の発明において、上記グリッドの装着を検出する検出ステップを含み、上記作成ステップは、上記検出ステップの検出結果に基づいて、上記の処理を実行するステップを含むことを特徴とする。
【手続補正４０】
【補正対象書類名】明細書
【補正対象項目名】００８８
【補正方法】削除
【補正の内容】
【手続補正４１】
【補正対象書類名】明細書
【補正対象項目名】００８９
【補正方法】削除
【補正の内容】
【手続補正４２】
【補正対象書類名】明細書
【補正対象項目名】００９０
【補正方法】削除
【補正の内容】
【手続補正４３】
【補正対象書類名】明細書
【補正対象項目名】００９１
【補正方法】削除
【補正の内容】
【手続補正４４】
【補正対象書類名】明細書
【補正対象項目名】００９２
【補正方法】変更
【補正の内容】
【００９２】
第１７の発明に係るプログラムを記録したコンピュータが読み取り可能な記憶媒体は、第２〜１６の発明のいずれかに係る放射線処理方法の処理ステップをコンピュータに実行させるためのプログラムを記憶したことを特徴とする。
【手続補正４５】
【補正対象書類名】明細書
【補正対象項目名】００９３
【補正方法】削除
【補正の内容】
【手続補正４６】
【補正対象書類名】明細書
【補正対象項目名】００９４
【補正方法】変更
【補正の内容】
【００９４】
第１８の発明に係るプログラムは、第２〜１６の発明のいずれかに係る放射線処理方法の処理ステップをコンピュータに実行させることを特徴とする。